(57)【要約】【課題】支柱と筋交いとの連結をより強固にして作業現場の安全性を高めるとともに、筋交いと支柱との取り付けを容易とし、しかも、接続部分を比較的簡単な構造とすることにより重量増加を抑えて現場の作業効率を高めることができる仮設足場用筋交いを提供する。【解決手段】足場支柱間に傾斜して配設される斜行材１１とその両端部に回動ピン１４を介して連結された差込部材２０を有し、足場支柱に配置された斜行材受け部材３０の受穴部３１内に差込部材のフック部２１を挿入してなる仮設足場用筋交い１０であり、差込部材に差込部材貫通孔２４が形成され、斜行材の両端部には足場支柱への摺接部１５が設けられ、斜行材受け部材の受穴部内に差込部材のフック部を挿入し、斜行材を足場支柱に近接させながら傾斜させて摺接部と足場支柱とを当接させ、同時にフック部の爪部２２と受穴部の受圧部３２とを圧接させて斜行材を足場支柱に固定する。【選択図】図１
2010138671.tif 000002
【特許請求の範囲】
【請求項１】
足場支柱の間に傾斜して配設される斜行材と、前記斜行材の上端部に回動ピンを介して回動可能に連結された差込部材とを有し、前記足場支柱に配置された斜行材受け部材の受穴部内に前記差込部材のフック部を挿入してなる仮設足場用筋交いであって、
前記差込部材に前記回動ピンの差込部材貫通孔が形成され、前記斜行材の上端部には前記足場支柱への摺接部が設けられており、
前記斜行材受け部材の受穴部内に前記差込部材の前記フック部を挿入し、前記斜行材を前記足場支柱に近接させながら傾斜させることによって前記摺接部と前記足場支柱とを当接させ、同時に前記フック部の爪部と前記受穴部の受圧部とを圧接させて前記斜行材を前記足場支柱に固定する
ことを特徴とする仮設足場用筋交い。
【請求項２】
前記摺接部が、前記斜行材の上端部の折り曲げ部によって形成されている請求項１に記載の仮設足場用筋交い。
【請求項３】
前記斜行材に水平手摺り材が配置されており、前記水平手摺り材には前記回動ピンが挿入される貫通長穴が該水平手摺り材の水平方向に形成され、前記回動ピンを介して前記斜行材及び前記差込部材と回動可能に連結されている請求項１又は２に記載の仮設足場用筋交い。
【請求項４】
請求項１ないし３のいずれか１項において、さらに、前記斜行材の下端部に回動ピンを介して回動可能に連結された下側本体部材と、前記下側本体部材に上下動可能に配置され前記斜行材受け部材の対角下側に位置する他の斜行材受け部材の受穴部内に挿入されるくさび部を有する下側くさび部材とからなる下側連結構造体が設けられており、
前記下側本体部材は、前記足場支柱側に前記他の斜行材受け部材の受穴部を収容する水平方向の開口部を有していて、前記開口部内に前記他の斜行材受け部材の受穴部を収容した後に該受穴部に対して前記下側くさび部材の前記くさび部が挿入されるように構成されていることを特徴とする仮設足場用筋交い。
【請求項５】
前記下側くさび部材に下部に係合突部を有する長脚部が形成されており、前記下側本体部材には前記下側くさび部材を上方へ移動したときに前記係合突部が係着する抜け止め係着部が設けられている請求項４に記載の仮設足場用筋交い。
【請求項６】
前記下側本体部材に前記下側くさび部材をそのくさび部が前記受穴部に挿入しない位置で保持するくさび部材保持部が設けられている請求項４又は５に記載の仮設足場用筋交い。
【発明の詳細な説明】
【技術分野】
【０００１】
この発明は、仮設足場用筋交いに関する。
【背景技術】
【０００２】
一般に、建築物の工事等を行う際には、その外周に仮設足場が設置される。複数本の支柱が所定間隔で配置され、各支柱間に足場板が架設されて一の階層の足場が形成される。上方に支柱を順次継ぎ足して同様に足場板を架設させることにより複数階層の足場が形成される。このような仮設足場にあっては、上方への足場の継ぎ足し作業をする際の安全対策として、足場板を架設させる前に斜行材、水平材、または垂直材等の足場材を手すりとして先行して配置するように構成される。
【０００３】
上記の仮設足場において足場材を配置する場合、足場材を支柱のホルダーに取り外し可能に連結するため、緊締金具として本体部材が使用された筋交い、あるいは筋交い手摺り等が知られている（例えば、特許文献１等参照）。特許文献１に開示の筋交いの構造によると、支柱Ｐ５のホルダー１３１に筋交い１１０を係止させるための本体部材１２０が筋交いの両端に備えられている。図１４に示すとおり、くさび部材１２５が本体部材１２０内に収容されている。支柱のホルダー１３１と筋交いの本体部材１２０とを固定する場合、はじめにホルダー１３１に正面視Ｃ字状の本体部材１２０は組み合わされる。双方を貫通させるべく前記のくさび部材１２５が降下され、ホルダー１３１に本体部材１２０は連結される。図中、符号１２１は本体部材の上片部、１２２は下片部、１２６はくさび片部、１２７はガイド片部である。
【０００４】
特許文献１等の筋交いの構造によると、支柱のホルダーにくさび部材を挿入して固定する構造である。そのため、くさび部材が意図せずにホルダーから抜けやすいおそれが指摘されている。そこで、作業現場の安全性確保の観点から支柱と筋交いとの連結をより強固にできる構造体が求められている。
【０００５】
また、筋交いの両端に設けられる本体部材は、くさび部材を受け入れ、かつ、くさび部材、筋交い等の荷重を受けることを想定しているため、十分な強度を備えるべくいきおい重量は増加してしまう。筋交いに関係する部材の重量増加は現場における取り扱いやすさを悪くし、作業効率にも影響を与える。
【特許文献１】特開２００６−７０３０４号公報
【発明の開示】
【発明が解決しようとする課題】
【０００６】
この発明は前記の点に鑑みなされたものであり、支柱と筋交いとの連結をより強固にして作業現場の安全性を高めるとともに、筋交いと支柱との取り付けを容易とし、しかも、接続部分を比較的簡単な構造とすることにより重量増加を抑えて現場の作業効率を高めることができる仮設足場用筋交いを提供するものである。
【課題を解決するための手段】
【０００７】
すなわち、請求項１の発明は、足場支柱の間に傾斜して配設される斜行材と、前記斜行材の上端部に回動ピンを介して回動可能に連結された差込部材とを有し、前記足場支柱に配置された斜行材受け部材の受穴部内に前記差込部材のフック部を挿入してなる仮設足場用筋交いであって、前記差込部材に前記回動ピンの差込部材貫通孔が形成され、前記斜行材の上端部には前記足場支柱への摺接部が設けられており、前記斜行材受け部材の受穴部内に前記差込部材の前記フック部を挿入し、前記斜行材を前記足場支柱に近接させながら傾斜させることによって前記摺接部と前記足場支柱とを当接させ、同時に前記フック部の爪部と前記受穴部の受圧部とを圧接させて前記斜行材を前記足場支柱に固定することを特徴とする仮設足場用筋交いに係る。
【０００８】
請求項２の発明は、前記摺接部が、前記斜行材の上端部の折り曲げ部によって形成されている請求項１に記載の仮設足場用筋交いに係る。
【０００９】
請求項３の発明は、前記斜行材に水平手摺り材が配置されており、前記水平手摺り材には前記回動ピンが挿入される貫通長穴が該水平手摺り材の水平方向に形成され、前記回動ピンを介して前記斜行材及び前記差込部材と回動可能に連結されている請求項１又は２に記載の仮設足場用筋交いに係る。
【００１０】
請求項４の発明は、請求項１ないし３のいずれか１項において、さらに、前記斜行材の下端部に回動ピンを介して回動可能に連結された下側本体部材と、前記下側本体部材に上下動可能に配置され前記斜行材受け部材の対角下側に位置する他の斜行材受け部材の受穴部内に挿入されるくさび部を有する下側くさび部材とからなる下側連結構造体が設けられており、前記下側本体部材は、前記足場支柱側に前記他の斜行材受け部材の受穴部を収容する水平方向の開口部を有していて、前記開口部内に前記他の斜行材受け部材の受穴部を収容した後に該受穴部に対して前記下側くさび部材の前記くさび部が挿入されるように構成されていることを特徴とする仮設足場用筋交いに係る。
【００１１】
請求項５の発明は、前記下側くさび部材に下部に係合突部を有する長脚部が形成されており、前記下側本体部材には前記下側くさび部材を上方へ移動したときに前記係合突部が係着する抜け止め係着部が設けられている請求項４に記載の仮設足場用筋交いに係る。
【００１２】
請求項６の発明は、前記下側本体部材に前記下側くさび部材をそのくさび部が前記受穴部に挿入しない位置で保持するくさび部材保持部が設けられている請求項４又は５に記載の仮設足場用筋交いに係る。
【発明の効果】
【００１３】
請求項１の発明に係る仮設足場用筋交いによると、足場支柱の間に傾斜して配設される斜行材と、前記斜行材の上端部に回動ピンを介して回動可能に連結された差込部材とを有し、前記足場支柱に配置された斜行材受け部材の受穴部内に前記差込部材のフック部を挿入してなる仮設足場用筋交いであって、前記差込部材に前記回動ピンの差込部材貫通孔が形成され、前記斜行材の上端部には前記足場支柱への摺接部が設けられており、前記斜行材受け部材の受穴部内に前記差込部材の前記フック部を挿入し、前記斜行材を前記足場支柱に近接させながら傾斜させることによって前記摺接部と前記足場支柱とを当接させ、同時に前記フック部の爪部と前記受穴部の受圧部とを圧接させて前記斜行材を前記足場支柱に固定するため、支柱と筋交いとの連結をより強固にして作業現場の安全性を高め、筋交いと支柱との取り付けを容易とし、しかも、接続部分の構造を比較的簡単とすることにより重量増加を抑えて現場の作業効率を高めることができる
【００１４】
請求項２の発明に係る仮設足場用筋交いによると、請求項１の発明において、前記摺接部が、前記斜行材の上端部の折り曲げ部によって形成されているため、足場支柱側への接触面が増して斜行材と足場支柱との固定安定性をより向上することができる。
【００１５】
請求項３の発明に係る仮設足場用筋交いによると、請求項１又は２の発明において、前記斜行材に水平手摺り材が配置されており、前記水平手摺り材には前記回動ピンが挿入される貫通長穴が該水平手摺り材の水平方向に形成され、前記回動ピンを介して前記斜行材及び前記差込部材と回動可能に連結されているため、斜行材と水平手摺り材との接続に要する部品数増加を抑えることができる。また、斜行材と水平手摺り材は接続されているため、双方を接続するための別途の作業も必要ない。さらに、斜行材を足場支柱に組み付ける際の位置ずれも吸収され、現場における使い勝手も向上する。
【００１６】
請求項４の発明に係る仮設足場用筋交いによると、請求項１ないし３のいずれか１項において、さらに、前記斜行材の下端部に回動ピンを介して回動可能に連結された下側本体部材と、前記下側本体部材に上下動可能に配置され前記斜行材受け部材の対角下側に位置する他の斜行材受け部材の受穴部内に挿入されるくさび部を有する下側くさび部材とからなる下側連結構造体が設けられており、前記下側本体部材は、前記足場支柱側に前記他の斜行材受け部材の受穴部を収容する水平方向の開口部を有していて、前記開口部内に前記他の斜行材受け部材の受穴部を収容した後に該受穴部に対して前記下側くさび部材の前記くさび部が挿入されるように構成されているため、支柱と筋交いとの連結をより強固にして作業現場の安全性を高めることができる。また、筋交いと支柱との取り付けも容易となる。しかも、接続部分の構造を比較的簡単とすることができる。
【００１７】
請求項５の発明に係る仮設足場用筋交いによると、請求項４の発明において、前記下側くさび部材に下部に係合突部を有する長脚部が形成されており、前記下側本体部材には前記下側くさび部材を上方へ移動したときに前記係合突部が係着する抜け止め係着部が設けられているため、下側くさび部材が下側本体部材から外れて紛失してしまうおそれを無くすことができる。
【００１８】
請求項６の発明に係る仮設足場用筋交いによると、請求項４又は５の発明において、前記下側本体部材に前記下側くさび部材をそのくさび部が前記受穴部に挿入しない位置で保持するくさび部材保持部が設けられているため、下側の斜行材受け部材に下側連結構造体を連結させようとするとき、開口部に下側くさび部材のくさび部が下がらないことから、開口部に斜行材受け部材の連結部を受け入れる際の邪魔とならない。よって、下側連結構造体と斜行材受け部材との接続を円滑に行うことができる。
【発明を実施するための最良の形態】
【００１９】
以下添付の図面に従ってこの発明を詳細に説明する。
図１は本発明の一実施例に係る仮設足場用筋交いの正面図、図２は差込部材の全体正面図、図３が斜行材の部分斜視図、図４は水平手摺り材の端部付近の拡大図、図５は仮設足場用筋交いの差込部材の接続状態を表す主要部斜視図、図６は仮設足場用筋交いの差込部材の接続前の概略断面図、図７は仮設足場用筋交いの差込部材の接続後の概略断面図、図８は他の例の差込部材を用いた接続後の概略断面図、図９は仮設足場用筋交いの下側連結構造体の接続状態を表す主要部斜視図、図１０は仮設足場用筋交いの下側連結構造体の接続前の概略断面図、図１１は仮設足場用筋交いの下側連結構造体の接続後の概略断面図、図１２は下側連結構造体における下側くさび部材の位置関係を示す概略図、図１３は他の例の下側連結構造体を用いた接続後の概略断面図である。
【００２０】
実施例の図１の正面図に示される仮設足場用筋交い１０は、左右対称である第１足場用筋交い１０ａと第２足場筋交い１０ｂを含んでなる。互いに対称であるため、第１足場用筋交い１０ａに基づいて本発明の仮設足場用筋交いを説明する。各図において同一符号は共通する部材を示すものとする。
【００２１】
すなわち、請求項１の発明に規定するように、第１足場用筋交い１０ａには、足場支柱Ｐ１，Ｐ２の間に傾斜して配設される斜行材１１と、この斜行材１１の両端部である上端部１２及び下端部１３のそれぞれに回動ピン１４を介して差込部材２０が回動可能に連結される。足場支柱Ｐ１，Ｐ２には斜行材受け部材３０が複数溶接等により接続され、各斜行材受け部材３０とも連結部３５が備えられ、該連結部３５に受穴部３１が形成されている。差込部材２０にはフック部２１が備えられ、フック部２１が斜行材受け部材３０の受穴部３１に挿入される。このことによって足場支柱Ｐ１，Ｐ２に斜行材１１は接続され、当該仮設足場用筋交い１０（第１足場用筋交い１０ａ並びに第２足場筋交い１０ｂ）は構成される。
【００２２】
図示において斜行材受け部材として鍔状のフランジ部材を用いた例を説明する。また、符号５０は下側連結構造体、６０は下側くさび部材であり図９以降に説明する。斜行材受け部材３０のうち、符号３０ｐは足場支柱Ｐ１，Ｐ２の上部側に位置し第１足場用筋交い１０ａまたは第２足場用筋交い１０ｂの差込部材２０と連結に用いられ、３０ｑは足場支柱Ｐ１，Ｐ２の下部側に位置し第１足場用筋交い１０ａまたは第２足場用筋交い１０ｂの連結構造体５０と連結に用いられる。
【００２３】
図２の差込部材２０の正面図から把握されるように、この差込部材２０は正面視略Ｊ字状をしており、本体部２６と、本体部から伸びフランジ部材である斜行材受け部材３０（３０ｐ）の受穴部３１と当接する爪部２２と、爪部の先端に形成され斜行材受け部材３０（３０ｐ）の受穴部３１との抜け止めのためのフック部２１が設けられている。本体部２６には、回動ピン１４が挿入される差込部材貫通孔２４が形成されている。
【００２４】
図３の斜視図は斜行材１１の上端部１２を示す。同図及び図１からわかるように、斜行材１１の上端部１２には、足場支柱へ当接するための摺接部１５が設けられている。特に図３（ａ）に示し、請求項２の発明に規定するように、摺接部１５は斜行材１１の上端部１２の折り曲げ部１５ｓに形成されている。図示のとおりの摺接部１５とすることにより、足場支柱側への接触面が増すため、斜行材と足場支柱との固定安定性をより向上することができる。この他に、図３（ｂ）のように、折り曲げ部を省略して摺接部１５ｋを形成した斜行材１１ｋとすることもできる。図示の上端部１２に端部挿入孔１６が貫通形成され、回動ピン１４が挿入される。斜行材１１（１１ｋ）は図示のとおりの棒状金属とする他、金属パイプとすることもできる。回動ピン１４は公知のボルト、リベット等の部材からなる。
【００２５】
図４は水平手摺り材の正面図を表している。図１からも把握されるように、前記の斜行材１１に水平手摺り材４０が配置されている。水平手摺り材を備えることにより、足場支柱間の左右方向の安全性を高めることができる。斜行材と水平手摺り材とは図示しないクランプ等の適宜の金具を用いて接続することもできる。しかし、斜行材と水平手摺り材との接続に要する部品数が増したり、これらの接続のために他の作業を要することがある。
【００２６】
そこで、請求項３の発明に規定するように、水平手摺り材４０には貫通長穴４４が形成され、ここに回動ピン１４が挿通される。貫通長穴４４は、回動ピン１４が水平手摺り材の水平方向、つまり長さ方向に移動可能な形状に形成され、水平手摺り材の一側端部４２に設けられる。図１及び後出の図５ないし７に示されるように、水平手摺り材４０は、回動ピン１４を介して斜行材１１及び差込部材２０と連結される。従って、水平手摺り材４０、斜行材１１及び差込部材２０は、互いに回動ピン１４を軸として回動可能となる。
【００２７】
当該図４に開示した構造の水平手摺り材とすることにより、斜行材と水平手摺り材との接続に要する部品数増加は抑えられる。はじめから、斜行材と水平手摺り材は接続されているため、双方を接続する別途の作業も必要ない。さらに、斜行材を足場支柱に組み付ける際の位置ずれも吸収され、現場における使い勝手も向上する。
【００２８】
図５は足場支柱に斜行材を取り付けた状態の概略斜視図である。同図の実施例の位置関係においては、紙面手前側から奥側にかけて、斜行材１１、差込部材２０、水平手摺り材４０の順に配置され１本の回動ピン１４により連結されている。実施例の回動ピン１４はナット１９により固定される。なお、斜行材、差込部材、水平手摺り材の連結の順番は図示の場合に限られない。また、水平手摺り材の設置も適宜である。
【００２９】
図５の斜視図並びに図６，７の正面図を用い、足場支柱と斜行材の取り付けの様子を説明する。図６及び図７は特に第１足場用筋交い１０ａにおける斜行材１１の上端部１２付近を示す。はじめに図５と図６に図示のとおり、足場支柱Ｐ１に斜行材１１を取り付けようとする場合、まず、フランジ部材の斜行材受け部材３０（３０ｐ）の連結部３５に設けられた受穴部３１内に差込部材２０のフック部２１が挿入される。このとき、斜行材１１は水平面に対して角度θの傾斜を維持したままである。
【００３０】
差込部材２０と斜行材１１は回動ピン１４により回動可能に一体化され、しかも、回動ピン１４は差込部材２０の長穴形状の差込部材貫通孔２４内に挿入されている。このため、斜行材１１と差込部材２０は、回動自在であるとともに多少の左右方向の移動も自在である。よって、差込部材２０のフック部２１を斜行材受け部材３０（３０ｐ）の受穴部３１内に差し込もうとする場合の位置合わせが容易となる。既に図４にて開示のとおり、水平手摺り材４０の一側端部４２に貫通長穴４４が設けられているため、斜行材を足場支柱に取り付ける際、水平手摺り材自体の左右方向の位置移動も容易となる。
【００３１】
続いて図５と併せて図７から把握されるように、斜行材受け部材３０（３０ｐ）の受穴部３１内に差込部材２０のフック部２１が挿入された後、斜行材１１は足場支柱Ｐ１に近接させながら傾斜される（矢印Ｄ１参照）。このときの斜行材のもたれ掛かりにより、斜行材１１は水平面に対して角度φの傾斜となる（角度φ＜角度θである。）。そこで、斜行材１１の上端部１２にある摺接部１５は足場支柱Ｐ１に当接される。
【００３２】
次に、斜行材１１の傾斜に連動して回動ピン１４も移動することから、差込部材２０は差込部材貫通孔２４内に挿入された回動ピン１４に引きずられて位置が変化する。図６と図７の比較のとおり、紙面右方向、つまり、差込部材２０が足場支柱Ｐ１から離れる方向に移動する。この結果、差込部材２０のフック部２１も同様に移動するため、差込部材２０のフック部２１の側面部分に形成された爪部２２は、フランジ部材の斜行材受け部材３０（３０ｐ）の受穴部３１にある受圧部３２に圧接される。
【００３３】
従って、足場支柱Ｐ１に対する斜行材１１の固定に際し、斜行材１１の摺接部１５における摩擦力、及び斜行材受け部材３０（３０ｐ）の受穴部３１と差込部材２０のフック部２１との間の押圧力が同時に作用する。両作用により足場支柱と斜行材の固定は強固となる。実施例のとおり、差込部材のフック部は斜行材受け部材（フランジ部材）の連結部にある受穴部に挿入されるため、差込部材のフック部は足場支柱の円周方向（図５中の矢印Ｄ参照）に振れることは無くなる。結果的に足場支柱に対する斜行材の傾斜位置のずれを回避することができる。
【００３４】
図８は、斜行材受け部材として箱状のホルダー３０ａを備えた足場支柱Ｐ３に本発明の仮設足場用筋交いを接続したときの様子を示す。斜行材受け部材のホルダー３０ａにおいて、符号３１ａは受穴部、３２ａは受圧部、３５ａは連結部である。ホルダー３０ａの形状に合わせて差込部材２０Ａのフック部２１ａの側面部分に形成された爪部２２ａも上下に長く形成される。図８の例においても、足場支柱と斜行材の取り付けの態様、作用は前掲図６，７等に開示して説明と同様に斜行材１１の摺接部１５における摩擦力、及び斜行材受け部材３０ａの受穴部３１ａと差込部材２０Ａのフック部２１ａ（爪部２２ａ）との間の押圧力が同時に作用していることによる。
【００３５】
図１の正面図に加えて、図９の斜視図、図１０，図１１の概略図から把握されるように、仮設足場用筋交い１０においては、さらに、下側連結構造体５０が設けられる。第１足場用筋交い１０ａは、足場支柱Ｐ１の斜行材受け部材３０ｐと差込部材２０により連結固定されるとともに、足場支柱Ｐ２の斜行材受け部材３０ｑと下側連結構造体５０により連結固定される。第２足場用筋交い１０ｂも同様である。これより、第１足場用筋交い１０ａに基づいて説明する。
【００３６】
図示し、請求項４の発明に規定するように、下側連結構造体５０には、下側本体部材５１と下側くさび部材６０が設けられる。下側本体部材５１は斜行材１１の下端部１３に回動ピン１４を介して回動可能に連結される。下側くさび部材６０は、下側本体部材５１に上下動可能に配置され、差込部材２０により連結固定される斜行材受け部材３０（３０ｐ）の対角下側（斜行材１１の配置参照）に位置する他の斜行材受け部材３０（３０ｑ）の連結部３５に形成された受穴部３１に挿入されるくさび部６１を有する。また、図９以降に図示の符号５４はくさび部材保持部、５５は抜け止め係着部、６２は長脚部、６３はくさび部と長脚部とをつなぐくさび梁部、６５は係合突部である。
【００３７】
下側本体部材５１は、第１板状部材５３と第２板状部材５４の２枚の板状部材により下側くさび部材６０を収容し、両板状部材５３，５４は保持部５２によりつながっている。下側本体部材５１には、図示の足場支柱Ｐ２の側に他の斜行材受け部材３０（３０ｑ）の受穴部３１を収容する水平方向の開口部５９が形成される。開口部５９内に他の斜行材受け部材３０（３０ｑ）の受穴部３１が収容された後、当該受穴部３１に対して下側くさび部材６０のくさび部６１が挿入される構成である。
【００３８】
図９と合わせて図１０，１１において、下側本体部材５１の開口部５９の上側に位置する上板部５７、下側本体部材５１の開口部５９の下側に位置する下板部５８が形成されていることから、下側本体部材５１は正面視コ字形状を成している。そのため、下側の斜行材受け部材３０（特に３０ｑ）に下側連結構造体５０を連結させようとする場合、下側本体部材５１を斜行材受け部材３０（３０ｑ）の水平方向側から同斜行材受け部材に開口部５９を接近させることができる。このため、斜行材受け部材と下側本体部材との位置合わせと連結が容易となる。
【００３９】
図１０，図１１は、ともに下側連結構造体５０の下側本体部材５１の開口部５９に下側の斜行材受け部材３０（３０ｑ）が受け入れられている状態である。図１０では斜行材受け部材３０（３０ｑ）の連結部３５にある受穴部３１の直上にくさび部６１を位置するように下側くさび部材６０が持ち上げられる。続く図１１からよくわかるように、下側くさび部材６０が下ろされて受穴部３１内にくさび部６１が挿通される。受穴部３１の受圧部３２はくさび部６１により圧接される。くさび部６１は受圧部３２と保持部５２に挟持され固定される。そして、下側の斜行材受け部材３０（３０ｑ）に下側連結構造体５０が連結される。図示にあっては、くさび梁部６３が連結部３５上に位置しており、また、くさび梁部の凸部６６が保持部５２と当接しているため、くさび部６１が受穴部３１から抜け落ちることはない。実施例から把握されるように、支柱と筋交いとの連結をより強固にして作業現場の安全性を高めることができ、筋交いと支柱との取り付けも容易である。しかも、接続部分の構造は比較的簡単である。
【００４０】
図１２を用い下側連結構造体５０における下側くさび部材６０の可動位置に関し説明する。図１２（ａ）から理解され、請求項５の発明に規定するように、下側くさび部材６０には長脚部６２が備えられ、同長脚部６２の下部に係合突部６５が設けられる。また、下側本体部材５１の下部に抜け止め係着部５５が切り欠いて形成される。図示のように下側くさび部材６０を下側本体部材５１から上方へ移動したとき、同長脚部６２の係合突部６５が抜け止め係着部５５に填り込み係着する。このような係着となることりより、下側くさび部材が下側本体部材から外れて紛失してしまうおそれを無くすことができる。
【００４１】
図１２（ｂ）は、下側の斜行材受け部材３０（３０ｑ）に下側連結構造体５０を連結させようとするときの下側本体部材５１内部を示す。請求項６の発明に規定するように、下側本体部材５１には、下側くさび部材６０のくさび部６１が下側の斜行材受け部材３０（３０ｑ）の受穴部３１（図１０，１１参照）に挿入しない位置で当該下側くさび部材６０を保持するくさび部材保持部５４が設けられている。くさび部材保持部５４の設置位置は下側の斜行材受け部材３０（３０ｑ）に下側連結構造体５０を連結させるときに、下側本体部材５１の開口部５９に下側くさび部材６０のくさび部６１の先端６１ｅが露出しない位置である。そこで、下側くさび部材６０にはくさび部材保持部５４と係合するくさび係合部６７が設けられる。このため、下側の斜行材受け部材に下側連結構造体を連結させようとするとき、開口部に下側くさび部材のくさび部が下がらないことから、開口部に斜行材受け部材の連結部を挿入する際の邪魔とはならず、開口部への連結部の挿入が円滑になる。
【００４２】
図１３は、斜行材受け部材として箱状のホルダー３０ａを備えた足場支柱Ｐ４に本発明の仮設足場用筋交いに備えられた下側連結構造体５０Ｂを接続したとき様子である。箱状のホルダー３０ａの上下長に合わせて下側本体部材５１Ｂの開口部５９ｂも上下方向に大きく形成される。下側くさび部材６０Ｂには、くさび部６１ｂとともに下側本体部材５１Ｂの開口部５９ｂに合わせて長くされた長脚部６２ｂが備えられる。符号５７ｂは下側本体部材５１Ｂの上板部、５８ｂは下側本体部材５１Ｂの下板部である。図示の例においてもホルダー３０ａと、下側くさび部材６０Ｂを介して行われる下側連結構造体５０Ｂとの連結態様は前記の図１１等の場合と同様である。下側くさび部材６０Ｂが下ろされて受穴部３１ａ内にくさび部６１ｂが挿通され、受穴部３１ａの受圧部３２ａはくさび部６１ｂにより圧接される。結果、下側の斜行材受け部材３０（３０ｑ）に下側連結構造体５０Ｂが連結される。
【図面の簡単な説明】
【００４３】
【図１】本発明の一実施例に係る仮設足場用筋交いの正面図である。
【図２】差込部材の全体正面図である。
【図３】斜行材の部分斜視図である。
【図４】水平手摺り材の端部付近の拡大図である。
【図５】仮設足場用筋交いの接続状態を表す主要部斜視図である。
【図６】仮設足場用筋交いの接続前の正面図である。
【図７】仮設足場用筋交いの接続後の正面図である。
【図８】他の例の差込部材を用いた接続後の概略断面図である。
【図９】仮設足場用筋交いの下側連結構造体の接続状態を表す主要部斜視図である。
【図１０】仮設足場用筋交いの下側連結構造体の接続前の概略断面図である。
【図１１】仮設足場用筋交いの下側連結構造体の接続後の概略断面図である。
【図１２】下側連結構造体における下側くさび部材の位置関係を示す概略図である。
【図１３】他の例の下側連結構造体を用いた接続後の概略断面図である。
【図１４】従来の仮設足場用筋交いにおける固定構造の正面図である。
【符号の説明】
【００４４】
１０  仮設足場用筋交い
１０ａ  第１足場用筋交い
１０ｂ  第２足場用筋交い
１１  斜行材
１２  上端部
１３  下端部
１４  回動ピン
２０  差込部材
２１  フック部
２２  爪部
２４  差込部材貫通孔
３０  斜行材受け部材
３０ｐ  上側の斜行材受け部材
３０ｑ  下側の斜行材受け部材
３１  受穴部
３２  受圧部
３５  連結部
４０  水平手摺り材
４４  手摺り貫通孔
５０  下側連結構造体
５１  下側本体部材
５４  くさび部材保持部
５５  抜け止め係着部
５９  開口部
６０  下側くさび部材
６１  くさび部
６２  長脚部
６５  係合突部
Ｐ１，Ｐ２  足場支柱
【図１】
2010138671.tif 000003
【図２】
2010138671.tif 000004
【図３】
2010138671.tif 000005
【図４】
2010138671.tif 000006
【図５】
2010138671.tif 000007
【図６】
2010138671.tif 000008
【図７】
2010138671.tif 000009
【図８】
2010138671.tif 000010
【図９】
2010138671.tif 000011
【図１０】
2010138671.tif 000012
【図１１】
2010138671.tif 000013
【図１２】
2010138671.tif 000014
【図１３】
2010138671.tif 000015
【図１４】
2010138671.tif 000016